(57)【要約】【課題】  小さいルアーに大きい魚用のフックをルアー本来の性能を発揮することを損ねることなく使用できるようにしたルアーを得る。【解決手段】  ルアー本体１に設けられたフックアイ２に環状接続金具３を介してフック４を接続したルアーにおいて、フックアイ２をファーストフックアイ２ａと、ファーストフックアイ２ａの近傍に併設したセカンドフックアイ２ｂとで構成し、ファーストフックアイ２ａ及びセカンドフックアイ２ｂとフック４とを別個の環状接続金具３，３で接続し、或る程度の可動範囲を残しながらフック４の可動範囲を抑制し、この可動範囲の抑制によりフック４の針先がルアー本体１の背中に引っかかることを防止できるようにすることにより、小さいルアー本体１に大きいフック４の接続を可能とした。【選択図】    図２
2020031541.tif 000002
【特許請求の範囲】
【請求項１】
ルアー本体に設けられたフックアイに環状接続金具を介してフックを接続したルアーにおいて、
前記フックアイをファーストフックアイと、前記ファーストフックアイの近傍に併設したセカンドフックアイとで構成し、前記ファーストフックアイ及び前記セカンドフックアイと前記フックとを別個の環状接続金具で接続したことを特徴とするルアー。
【請求項２】
前記フックアイを構成する前記ファーストフックアイ及び前記セカンドフックアイは、前記ファーストフックアイの前後に前記セカンドフックアイが併設されていることを特徴とする請求項１に記載のルアー。
【請求項３】
前記フックアイを構成する前記ファーストフックアイ及び前記セカンドフックアイは、一体に形成されていることを特徴とする請求項１または２のいずれか１項に記載のルアー。
【発明の詳細な説明】
【技術分野】
【０００１】
本発明は、魚釣りに用いられるルアーに関する。
【背景技術】
【０００２】
一般に、魚釣りに用いられるルアーとして、魚体を模したルアー本体の腹部や尾部にフックアイが設けられ、フックアイにフックを接続したものが多く用いられている（例えば、特許文献１参照。）。
このようなルアーにあっては、フックアイへのフックの接続が面倒であり、また、フックに掛かった魚が暴れることによってフックから外れ逃がしてしまうといったことがある。このような問題を解消するために、フックアイに環状接続金具を介してフックを接続することにより、フックアイへのフックの接続を容易に行えるようにするとともに、環状接続金具によってフックの可動範囲を広くし、フックに掛かった魚の動きにフックが追従する範囲を大きくすることにより、フックに掛かった魚が暴れることによって自らフックを外し逃げる確率を低くさせるといったことが多く取り入れられている（例えば、特許文献２、３参照。）。
【先行技術文献】
【特許文献】
【０００３】
【特許文献１】特開２００５−２２９９１０号公報
【特許文献２】特開２０１１−３０４５９号公報
【特許文献３】特開２０１７−１２７２３６号公報
【発明の概要】
【発明が解決しようとする課題】
【０００４】
上記のルアーにあって、その大きさにあっては、釣りの対象と魚の大きさ等により様々であるが、小さいルアーには小さい魚しか食いつかないということはなく、小さいルアーに大きな魚が食いつくといったこともままあり、そればかりか、大きい魚でも小さい餌しか捕食しないといったことがあり、小さいルアーを使用することが大きな魚を釣る最適な方法となりえる場合がある。
【０００５】
しかし、大きな魚を釣るためには、大きな魚の力に対して十分な強度と大きさを持つフックが必要となるが、このような大きなフックを小さなルアーに接続すると、小さなルアーの本体は体高が低いため、特にルアー本体の腹部に接続した場合、フックの針先がルアー本体の背中に引っかかって、そのまま固定されてしまう場合が多く、ルアーとしての性能を発揮できなくなる場合があるといった問題がある。
【０００６】
特に、図９に示すように、フック４の可動範囲を広くするために、フックアイ２に環状接続金具３を介してフックを接続したルアーにあっては、フック４の針先がルアー本体１の背中に一層引っかかり易くなり、小さいルアーに大きい魚用のフック４を使用することは極めて難しいといった問題がある。
【０００７】
このような問題を解決するには、環状接続金具でのルアー本体に設けられたフックアイとフックとの接続に際して、魚が逃げやすくならない程度にフックの可動範囲（追従性）を残しつつ、ルアー本来の性能を発揮することを損ねる位置にフックが固定されることを防ぐ程度に、フックの可動範囲を抑制する必要がある。
本発明者は、試験研究を重ねた結果、フックをルアー本体の２点から接続することに着眼し、本発明を成すに至った。
【０００８】
本発明の目的は、小さいルアーに大きい魚用のフックをルアー本来の性能を発揮することを損ねることなく使用できるようにしたルアーを提供することにある。
【課題を解決するための手段】
【０００９】
上記の目的を達成するために、請求項１に記載の発明はルアー本体に設けられたフックアイに環状接続金具を介してフックを接続したルアーにおいて、前記フックアイをファーストフックアイと、前記ファーストフックアイの近傍に併設したセカンドフックアイとで構成し、前記ファーストフックアイ及び前記セカンドフックアイと前記フックとを別個の環状接続金具で接続したことを特徴とする。
【００１０】
請求項１に記載の発明によれば、前記フックアイを前記ファーストフックアイと、前記ファーストフックアイの近傍に併設した前記セカンドフックアイとで構成し、前記ファーストフックアイ及び前記セカンドフックアイと前記フックとを別個の環状接続金具で接続したので、前記フックは前記ファーストフックアイと前記セカンドフックアイの２点で接続されることになる。これにより、従来のフックアイに環状接続金具を介してフックを接続したルアーに比べ、或る程度の可動範囲を残しながらフックの可動範囲を抑制することができ、この可動範囲の抑制によりフックの針先がルアー本体の背中に引っかかることを防止できるので、小さいルアー本体に大きいフックの接続を可能とすることができる。
【００１１】
請求項２に記載の発明は、請求項１に記載の、前記フックアイを構成する前記ファーストフックアイ及び前記セカンドフックアイは、前記ファーストフックアイの前後に前記セカンドフックアイが併設されていることを特徴とする。
【００１２】
請求項２に記載の発明によれば、前記フックアイを構成する前記ファーストフックアイ及び前記セカンドフックアイは、前記ファーストフックアイの前後に前記セカンドフックアイが併設されているので、前記ファーストフックアイの前後のいずれかの前記セカンドフックアイを選ぶことにより、ルアー本体における前記フックの接続位置を前後に調節することができ、また、前記ファーストフックアイの前側の前記セカンドフックアイと、前記ファーストフックアイの後側の前記セカンドフックアイとの間隔を変えておけば、前記ファーストフックアイの前後の前記セカンドフックアイのいずれかを選ぶことにより、前記フックの可動範囲を調節することができることになる。
【００１３】
請求項３に記載の発明は、請求項１または２のいずれか１項に記載の、前記フックアイを構成する前記ファーストフックアイ及び前記セカンドフックアイは、一体に形成されていることを特徴とする。
【００１４】
請求項３に記載の発明によれば、前記フックアイを構成する前記ファーストフックアイ及び前記セカンドフックアイは、一体に形成されているので、前記ルアー本体への前記ファーストフックアイ及び前記セカンドフックアイの取付を容易に行うことができる。
【発明の効果】
【００１５】
本発明に係るルアーによれば、小さいルアーに大きい魚用のフックをルアー本来の性能を発揮することを損ねることなく使用できる。
【図面の簡単な説明】
【００１６】
【図１】本発明に係るルアーの実施の形態の一例のルアー本体を示す側面図である。
【図２】図１に示すルアー本体に設けたフックアイにフックを接続した状態を示す側面図である。
【図３】フックの可動範囲を示す説明図である。
【図４】ルアー本体に設けたフックアイの他例を示す側面図である。
【図５】ルアー本体に設けたフックアイの他例を示す側面図である。
【図６】ルアー本体に設けたフックアイの他例を示す側面図である。
【図７】ルアー本体に設けたフックアイの他例を示す斜視図である。
【図８】図７に示すフックアイにフックを接続した状態を示す斜視図である。
【図９】従来のルアーにおけるの可動範囲を示す説明図である。
【発明を実施するための形態】
【００１７】
以下、本発明に係るルアーの実施の形態の一例を図面を参照して詳細に説明する。
図１乃至図８は本発明に係るルアーの実施の形態の一例を示し、図１は本発明に係るルアーのルアー本体を示す側面図、図２は図１に示すルアー本体に設けたフックアイにフックを接続したルアーを示す側面図、図３はフックの可動範囲を示す説明図、図４、図５、図６、図７はそれぞれルアー本体に設けたフックアイの他例を示す斜視図、図８は図７に示すフックアイにフックを接続した状態を示斜視図である。
【００１８】
本例のルアーは、魚体を模したルアー本体１の腹部と尾部にフックアイ２が設けられ、フックアイ２に環状接続金具３を介してフック４が接続され、また、頭部にはラインアイ５が設けられている。
【００１９】
まず、ルアー本体１にあっては、プラスチック、発泡ウレタン、木製、金属製等、その材質に特に限定されるものではなく、また模した魚体形状も特に限定されるものではない。
【００２０】
フックアイ２にあっては、本例では、ルアー本体１の腹部に設けられたフックアイ２が、ファーストフックアイ２ａとファーストフックアイ２ａの近傍に併設されたセカンドフックアイ２ｂで構成されている。
【００２１】
本例では、ファーストフックアイ２ａの尾部側にセカンドフックアイ２ｂが併設されている（図１参照。）。ファーストフックアイ２ａとセカンドフックアイ２ｂの間隔は、後述するように、ファーストフックアイ２ａとセカンドフックアイ２ｂとに環状接続金具３を介して接続したフック４の可動範囲を、或る程度の可動範囲を残しながらフックの可動範囲を抑制することができる間隔に設定されている。
【００２２】
ここでいう「或る程度の可動範囲を残しながらフック４の可動範囲を抑制する」とは、「魚が逃げやすくならない程度にフック４の可動範囲（追従性）を残しつつ、フック４の針先がルアー本体１の背中に引っかかる等のルアー本来の性能を発揮することを損ねる位置にフック４が固定されることを防ぐ」の意であり、ファーストフックアイ２ａとセカンドフックアイ２ｂの間隔は、ルアー本体１の体高やフック４の大きさにより求められる。
【００２３】
このようにして、ルアー本体１の腹部に設けられたフックアイ２を構成するファーストフックアイ２ａとセカンドフックアイ２ｂに、別個の環状接続金具３，３を介してフック４が接続されている（図２参照。）。
【００２４】
このように構成されたルアーによれば、フックアイ２をファーストフックアイ２ａと、ファーストフックアイ２ａの近傍に併設したセカンドフックアイ２ｂとで構成し、ファーストフックアイ２ａ及びセカンドフックアイ２ｂとフック４とを別個の環状接続金具３，３で接続したので、フック４はファーストフックアイ２ａとセカンドフックアイ２ｂの２点で接続されることになる。
【００２５】
これにより、或る程度の可動範囲を残しながらフック４の可動範囲を制限することができ、この可動範囲の制限によりフック４の針先がルアー本体１の背中に引っかかることを防止することができる（図３参照。）。
【００２６】
図４、図５、図６、図７はそれぞれルアー本体１に設けたフックアイ２の他例を示すものであり、図４に示すフックアイ２は、ファーストフックアイ２ａの前後、即ち頭部側と尾部側にそれぞれセカンドフックアイ２ｂ，２ｂが併設されている。
【００２７】
このようにすることにより、フック４の接続に際し、ファーストフックアイ２ａの前後に併設されているセカンドフックアイ２ｂ，２ｂのいずれかを選ぶことにより、ルアー本体１におけるフック４の接続位置を前後に調節することができる。
また、ファーストフックアイ２ａの前側のセカンドフックアイ２ｂと、ファーストフックアイ２ａの後側のセカンドフックアイ２ｂとの間隔を変えておけば、ファーストフックアイ２ａの前後のセカンドフックアイ２ｂ，２ｂのいずれかを選ぶことにより、フック４の可動範囲を調節することができることになる。
【００２８】
図５に示すフックアイ２は、ルアー本体１の腹部と尾部に設けられており、それぞれのフックアイ２，２は、ファーストフックアイ２ａとファーストフックアイ２ａの近傍に併設されたセカンドフックアイ２ｂで構成されている。
このようにすることにより、ルアー本体１の尾部に設けられているフックアイ２にも大きなフックを接続することが可能となる。
【００２９】
図６に示すフックアイ２は、フックアイ２を構成するファーストフックアイ２ａ及びセカンドフックアイ２ｂは、一体に形成されている。
このようにすることにより、ルアー本体１へのファーストフックアイ２ａ及びセカンドフックアイ２ｂの取付を容易に行うことができる。
【００３０】
図７に示すフックアイ２は、フックアイ２を構成するファーストフックアイ２ａ及びセカンドフックアイ２ｂは、左右方向に併設されている。
このようにすることにより、フック４の可動範囲を抑制することができるとともに、バランスのよいルアーを得ることができる。
【符号の説明】
【００３１】
１  ルアー本体
２  フックアイ
２ａ  ファーストフックアイ
２ｂ  セカンドフックアイ
３  環状接続金具
４  フック
５  ラインアイ
【図１】
2020031541.tif 000003
【図２】
2020031541.tif 000004
【図３】
2020031541.tif 000005
【図４】
2020031541.tif 000006
【図５】
2020031541.tif 000007
【図６】
2020031541.tif 000008
【図７】
2020031541.tif 000009
【図８】
2020031541.tif 000010
【図９】
2020031541.tif 000011